(57)【要約】【課題】透明断熱材を提供する。【解決手段】  保護フィルム１０５に包装された透明なモノリス状のエアロゲル１０３を備える断熱材１０１であって、保護フィルム１０５は、膜厚３０μｍ以上５０μｍ以下の高密度ポリエチレン、中密度ポリエチレン、低密度ポリエチレン、直鎖状低密度ポリエチレンもしくは無延伸ポリプロピレンの単層、または膜厚３０μｍ以上５０μｍ以下の高密度ポリエチレン、中密度ポリエチレン、低密度ポリエチレン、直鎖状低密度ポリエチレンもしくは無延伸ポリプロピレンと膜厚１２μｍ以上２８μｍ以下の２軸延伸ポリプロピレン、２軸延伸ナイロンもしくはポリエチレンテレフタレートとを含む積層、を備える断熱材。【選択図】図１
2020106091.tif 000002
【特許請求の範囲】
【請求項１】
保護フィルムに包装された透明なモノリス状のエアロゲルを備える断熱材であって、
前記保護フィルムは、膜厚３０μｍ以上５０μｍ以下の高密度ポリエチレン、中密度ポリエチレン、低密度ポリエチレン、直鎖状低密度ポリエチレンもしくは無延伸ポリプロピレンの単層、または膜厚３０μｍ以上５０μｍ以下の高密度ポリエチレン、中密度ポリエチレン、低密度ポリエチレン、直鎖状低密度ポリエチレンもしくは無延伸ポリプロピレンと膜厚１２μｍ以上２８μｍ以下の２軸延伸ポリプロピレン、２軸延伸ナイロンもしくはポリエチレンテレフタレートとを含む積層、を備える断熱材。
【請求項２】
保護フィルムに包装された透明なモノリス状のエアロゲルを備える断熱材であって、
前記保護フィルムは、膜厚３０μｍ以上５０μｍ以下の高密度ポリエチレン、中密度ポリエチレン、低密度ポリエチレン、直鎖状低密度ポリエチレンまたは無延伸ポリプロピレンと、膜厚１２μｍ以上１８μｍ以下の透明蒸着フィルムと、膜厚１２μｍ以上２８μｍ以下の２軸延伸ポリプロピレン、２軸延伸ナイロンまたはポリエチレンテレフタレートと、を含む積層であり、
前記包装は、大気圧乃至１０ｋＰａで減圧されている断熱材。
【請求項３】
保護フィルムに包装された透明なモノリス状のエアロゲルを備える断熱材であって、
前記保護フィルムは、膜厚３０μｍ以上５０μｍ以下の高密度ポリエチレン、中密度ポリエチレン、低密度ポリエチレン、直鎖状低密度ポリエチレンまたは無延伸ポリプロピレンと、膜厚１２μｍ以上１８μｍ以下のアルミ蒸着フィルムまたは膜厚６．５μｍ以上９μｍ以下のアルミ箔と、膜厚１２μｍ以上２８μｍ以下の２軸延伸ポリプロピレン、２軸延伸ナイロンまたはポリエチレンテレフタレートと、を含む積層であり、
前記包装は、大気圧乃至１０ｋＰａで減圧されている断熱材。
【請求項４】
透明な外箱と、透明な内箱との間に請求項１乃至３のいずれか１項に記載の断熱材を備える冷蔵庫。
【請求項５】
前記外箱と前記内箱は、ガラスまたは樹脂からなる、請求項４に記載の冷蔵庫。
【発明の詳細な説明】
【技術分野】
【０００１】
本発明は、エアロゲルを用いた断熱材に関する。また、エアロゲルを用いた断熱材を備える冷蔵庫に関する。
【背景技術】
【０００２】
冷蔵庫をはじめとするさまざまな箇所で必要とされる断熱材の開発が、盛んに行われ、その中でエアロゲルは、断熱材の芯材として期待される新規な材料である。このエアロゲルを芯材として、包装材で包装した断熱材が考案されている。
【０００３】
特許文献１には、エアロゲルを密閉容器に充填して断熱材とすることが開示されている。また、密閉容器が気密性フィルムからなること、密閉容器内の圧力が１０１〜１０４Ｐａの範囲にあることが開示されている。
【０００４】
一方、近年、エアロゲルの中でも透明なモノリス状のエアロゲルが得られるようになってきている。このようなエアロゲルは、多孔質であり、比重が軽い。また、エアロゲルは、細孔径が数十ｎｍと小さく気孔率が数十％を超えると、透明で断熱性に優れたものが得られる。現在、このような透明なモノリス状のエアロゲルは幅数十ｃｍ角で厚さ数ｍｍのものが得られている。
【先行技術文献】
【特許文献】
【０００５】
【特許文献１】特許第５６６９６１７号公報
【発明の概要】
【発明が解決しようとする課題】
【０００６】
不透明なパウダー状、繊維に含有させたエアロゲルを断熱材に用いる包装は検討されてきたが、透明なモノリス状のエアロゲルを断熱材に用いる包装は十分に検討されていなかった。気密性フィルムに不透明な材料を使うと、エアロゲルの透明な性質を生かせない。また、透明なモノリス状のエアロゲルは、それ自身が十分断熱性を有している一方で、多孔質なため真空引きしても十分に空気が引けなかった。
【０００７】
本発明は、透明なモノリス状のエアロゲルを断熱材として用いることを目的とする。また、本発明は、透明なエアロゲルの特徴を生かし、透明な断熱材を提供することを目的とする。さらに、本発明は、エアロゲルの包装内を適度に減圧することによって、断熱性能を向上させることを目的とする。さらに、本発明は、透明な外箱と透明な内箱との間に、透明な断熱材を備えることで、外から庫内の保存物を見ることができる透明な冷蔵庫を提供することを目的とする。
【課題を解決するための手段】
【０００８】
本発明は、
保護フィルムに包装された透明なモノリス状のエアロゲルを備える断熱材であって、
前記保護フィルムは、膜厚３０μｍ以上５０μｍ以下の高密度ポリエチレン、中密度ポリエチレン、低密度ポリエチレン、直鎖状低密度ポリエチレンもしくは無延伸ポリプロピレンの単層、または膜厚３０μｍ以上５０μｍ以下の高密度ポリエチレン、中密度ポリエチレン、低密度ポリエチレン、直鎖状低密度ポリエチレンもしくは無延伸ポリプロピレンと膜厚１２μｍ以上２８μｍ以下の２軸延伸ポリプロピレン、２軸延伸ナイロンもしくはポリエチレンテレフタレートとを含む積層、を備える断熱材であることを特徴としている。
【０００９】
エアロゲルは、もろく強度が低いが、保護フィルムで覆うことで、強度を増し、断熱材の取り扱いが容易になる。したがって、本発明は、透明なモノリス状のエアロゲルを断熱材として用いることができる。また、本発明は、透明なモノリス状のエアロゲルを、透明な保護フィルムで覆うことによって、透明な断熱材を提供できる。
【００１０】
本発明は、
保護フィルムに包装された透明なモノリス状のエアロゲルを備える断熱材であって、
前記保護フィルムは、膜厚３０μｍ以上５０μｍ以下の高密度ポリエチレン、中密度ポリエチレン、低密度ポリエチレン、直鎖状低密度ポリエチレンまたは無延伸ポリプロピレンと、膜厚１２μｍ以上１８μｍ以下の透明蒸着フィルムと、膜厚１２μｍ以上２８μｍ以下の２軸延伸ポリプロピレン、２軸延伸ナイロンまたはポリエチレンテレフタレートと、を含む積層であり、
前記包装は大気圧乃至１０ｋＰａで減圧されている断熱材であることを特徴としている。
【００１１】
本発明は、透明なモノリス状のエアロゲルを断熱材として用いることができる。また、本発明は、透明なモノリス状のエアロゲルを、透明な保護フィルムで覆うことによって、透明な断熱材を提供できる。さらに、エアロゲルの包装内を適度に減圧することによって、断熱性能を向上させることができる。
【００１２】
本発明は、
保護フィルムに包装された透明なモノリス状のエアロゲルを備える断熱材であって、
前記保護フィルムは、膜厚３０μｍ以上５０μｍ以下の高密度ポリエチレン、中密度ポリエチレン、低密度ポリエチレン、直鎖状低密度ポリエチレンまたは無延伸ポリプロピレンと、膜厚１２μｍ以上１８μｍ以下の透明もしくはアルミ蒸着フィルムまたは６．５μｍ以上９μｍ以下のアルミ箔と、膜厚１２μｍ以上２８μｍ以下の２軸延伸ポリプロピレン、２軸延伸ナイロンまたはポリエチレンテレフタレートと、を含む積層であり、
前記包装は、大気圧乃至１０ｋＰａで減圧されている断熱材であることを特徴としている。
【００１３】
本発明は、透明なモノリス状のエアロゲルを断熱材として用いることができる。また、エアロゲルの包装内を適度に減圧することによって、断熱性能を向上させることができる。さらに、アルミ蒸着フィルムまたはアルミ箔を保護フィルムに用いることによって気密を十分に保つことができる。
【００１４】
本発明の冷蔵庫は、透明な外箱と、透明な内箱との間に請求項１乃至３のいずれか１項に記載の断熱材を備えることを特徴とする。
【００１５】
本発明は、透明な外箱と、透明な内箱との間に、透明な断熱材を備えることで、外から庫内の保存物を見ることができる透明な冷蔵庫を提供できる。従来の透明な冷蔵庫は、積層ガラスで仕切られていた。そのため重量が重かった。エアロゲルは、非常に軽いため透明な冷蔵庫の重量を軽くできる。
【００１６】
本発明の冷蔵庫は、前記外箱と前記内箱は、ガラスまたは樹脂からなることを特徴とする。
【００１７】
ガラスまたは樹脂を用いることで、外箱と内箱を透明にできる。
【発明の効果】
【００１８】
本発明は、透明なモノリス状のエアロゲルを断熱材として用いることができる。また、本発明は、透明なエアロゲルの特徴を生かし、透明な断熱材を提供できる。さらに、本発明は、エアロゲルの包装内を適度に減圧することによって、断熱性能を向上させることができる。さらに、本発明は、透明な外箱と透明な内箱との間に、透明な断熱材を備えることで、外から庫内の保存物を見ることができる透明な冷蔵庫を提供できる。
【図面の簡単な説明】
【００１９】
【図１】本発明の第１の実施の形態の断熱材を示す（ａ）上面図と（ｂ）Ａ−Ａ断面図である。
【図２】本発明の第２の実施の形態の断熱材を示す（ａ）上面図と（ｂ）Ｂ−Ｂ断面図である。
【図３】本発明の第３の実施の形態の断熱材を示す（ａ）上面図と（ｂ）Ｃ−Ｃ断面図である。
【図４】本発明の透明な断熱材を用いた冷蔵庫の正面図である。
【図５】本発明の透明な断熱材を用いた冷蔵庫の側面図である。
【発明を実施するための形態】
【００２０】
以下、本発明を実施するための様々な実施の形態を、図面を参照して説明する。要点の説明または理解の容易性を考慮して、異なる図面で便宜上符号を変えてあるいは同一にして示す。要点の説明または理解の容易性を考慮して、便宜上実施の形態を分けて示すが、異なる実施の形態で示した構成の部分的な置換または組み合わせは可能である。実施の形態２以降では、実施の形態１と要点の説明または理解の容易性を考慮して、便宜上実施の形態を分けて示すが、異なる実施の形態で示した構成の部分的な置換または組み合わせは可能である。
【００２１】
（第１の実施の形態）
図１は、本発明の第１の実施の形態の断熱材を示す（ａ）上面図と（ｂ）Ａ−Ａ断面図である。図１を参照して、第１の実施の形態について説明する。
【００２２】
図１（ａ）に示すように、断熱材１０１は、透明な保護フィルム１０５に包装された透明なモノリス状のエアロゲル１０３を備える。透明なモノリス状のエアロゲル１０３は、例えば平均細孔が４０ｎｍ以下で、気孔率が８０％を超えるものである。また、エアロゲル１０３は、１辺２０ｃｍの正方形で、５ｍｍ程度の厚さであることができる。この大きさは例示であり、透明なモノリス状のエアロゲルは、さらに大きくてもよい。
【００２３】
透明な保護フィルム１０５は、エアロゲル１０３の周囲を正方形あるいは単に四角形で囲い上下から挟む。保護フィルム１０５は、熱融着によりエアロゲル１０３を密閉している。保護フィルム１０５は、保護フィルムの単層または積層であることができる。
【００２４】
保護フィルム１０５が単層である場合、透明な保護フィルム１０５は、膜厚が３０μｍ以上５０μｍ以下の高密度ポリエチレン、中密度ポリエチレン、低密度ポリエチレン、直鎖状低密度ポリエチレンもしくは無延伸ポリプロピレンであることができる。
【００２５】
また、保護フィルム１０５は、第１の保護フィルム１０７と第２の保護フィルム１０９とを含む積層であってもよい（例えば、図２（ｂ）参照）。このとき、エアロゲル１０３は、第１の保護フィルム１０７で上下から包まれる。さらにエアロゲル１０３と第１の保護フィルム１０７は、第２の保護フィルム１０９で上下から包まれる。第１の保護フィルム１０７と第２の保護フィルム１０９を熱融着して、エアロゲル１０３を密閉する。
【００２６】
第１の保護フィルム１０７は、膜厚が３０μｍ以上５０μｍ以下の高密度ポリエチレン、中密度ポリエチレン、低密度ポリエチレン、直鎖状低密度ポリエチレンもしくは無延伸ポリプロピレンであることができる。第１の保護フィルムは、透明である。
【００２７】
また、第２の保護フィルム１０９は、膜厚が１２μｍ以上２８μｍ以下の２軸延伸ポリプロピレン、２軸延伸ナイロンもしくはポリエチレンテレフタレートであることができる。第２の保護フィルムは透明である。第１の保護フィルム１０７と第２の保護フィルム１０９は、積層が入れ替わってもよい。
【００２８】
エアロゲルは、もろく強度が低いが、保護フィルムで覆うことで、強度を増し、断熱材の取り扱いが容易になる。本発明は、透明なモノリス状のエアロゲルを断熱材として用いることができる。また、本発明は、透明なモノリス状のエアロゲルを、透明な保護フィルムで覆うことによって、透明な断熱材を提供できる。
【００２９】
（第２の実施の形態）
図２は、本発明の第２の実施の形態の断熱材を示す（ａ）上面図と（ｂ）Ｂ−Ｂ断面図である。図２を参照して、第２の実施の形態を説明する。
【００３０】
第２の実施の形態は、第１の実施の形態と第３の保護フィルム２１１が設けられている点で異なる。また、第２の実施の形態は、第１の実施の形態と保護フィルム２０５の内部が、真空引きされ、減圧されている点で異なる。
【００３１】
図２（ａ）に示すように、第１の実施の形態と同じように、断熱材２０１は、透明な保護フィルム２０５に包装された透明なモノリス状のエアロゲル２０３を備える。図２（ｂ）に示すように、透明な保護フィルム２０５は、第１の保護フィルム２０９と、第３の保護フィルム２１１と、第２の保護フィルム２１３とを含む積層である。
【００３２】
エアロゲル２０３は、第１の保護フィルム２０９で上下から包まれる。さらにエアロゲル２０３と第１の保護フィルム２０９は、第３の保護フィルム２１１で上下から包まれる。さらにエアロゲル２０３と第１の保護フィルム２０９と第３の保護フィルム２１１は、第２の保護フィルム２１３で上下から包まれる。第１の保護フィルム２０９と、第３の保護フィルム２１１と、第２の保護フィルム２１３を熱融着して、エアロゲル２０３を密閉する。
【００３３】
第１の保護フィルム２０９は、膜厚が３０μｍ以上５０μｍ以下の高密度ポリエチレン、中密度ポリエチレン、低密度ポリエチレン、直鎖状低密度ポリエチレンもしくは無延伸ポリプロピレンであることができる。第１の保護フィルムは、透明である。
【００３４】
第３の保護フィルム２１１は、膜厚が１２μｍ以上１８μｍ以下の透明蒸着フィルムであることができる。
【００３５】
また、第２の保護フィルム２１３は、膜厚が１２μｍ以上２８μｍ以下の２軸延伸ポリプロピレン、２軸延伸ナイロンもしくはポリエチレンテレフタレートであることができる。第２の保護フィルムは透明である。第１の保護フィルム２０９と第２の保護フィルム２１３と第３の保護フィルム２１１は、積層が入れ替わってもよい。
【００３６】
図２（ａ）に示すように、第１の実施の形態と異なり、保護フィルムの一部２０７が熱融着されずに残る。この保護フィルムの一部２０７からエアロゲル２０３は、真空引きされる。真空引きされた後、この保護フィルムの一部２０７は、熱融着によりふさがれる。
【００３７】
真空引きされた後の包装内の圧力は、大気圧乃至１０ｋＰａである。透明なモノリス状のエアロゲルは、そのままでも断熱性が高いため、本実施形態の断熱材は、通常の真空断熱材よりも真空度が低くても高い断熱性を得ることができる。
【００３８】
本発明は、透明なモノリス状のエアロゲルを断熱材として用いることができる。また、本発明は、透明なエアロゲルの特徴を生かし、透明な断熱材を提供できる。さらに、本発明は、エアロゲルの包装内を適度に減圧することによって、断熱性能を向上させることができる。
【００３９】
（第３の実施の形態）
図３は、本発明の第３の実施の形態の断熱材を示す（ａ）上面図と（ｂ）Ｃ−Ｃ断面図である。図３を参照して、第３の実施の形態を説明する。
【００４０】
第３の実施の形態は、第１の実施の形態と透明でない第３の保護フィルム３１１が設けられる点で異なる。また、第３の実施の形態は、第１の実施の形態と保護フィルム３０５の内部が、真空引きされ、減圧されている点で異なる。
【００４１】
図３（ａ）に示すように、第１の実施の形態と同じように、断熱材３０１は、保護フィルム３０５に包装された透明なモノリス状のエアロゲル３０３を備える。図３（ｂ）に示すように、保護フィルム３０５は、第１の保護フィルム３０９と、第３の保護フィルム３１１と、第２の保護フィルム３１３と含む積層である。
【００４２】
エアロゲル３０３は、第１の保護フィルム３０９で上下から包まれる。さらにエアロゲル３０３と第１の保護フィルム３０９は、第３の保護フィルム３１１で上下から包まれる。さらにエアロゲル３０３と第１の保護フィルム３０９と第３の保護フィルム３１１は、第２の保護フィルム３１３で上下から包まれる。第１の保護フィルム３０９と、第３の保護フィルム３１１と、第２の保護フィルム３１３を熱融着して、エアロゲル３０３を密閉する。
【００４３】
第１の保護フィルム３０９は、膜厚が３０μｍ以上５０μｍ以下の高密度ポリエチレン、中密度ポリエチレン、低密度ポリエチレン、直鎖状低密度ポリエチレンもしくは無延伸ポリプロピレンであることができる。
【００４４】
第３の保護フィルム３１１は、膜厚が１２μｍ以上１８μｍ以下のアルミ蒸着フィルムまたは膜厚が６．５μｍ以上９μｍ以下のアルミ箔であることができる。
【００４５】
また、第２の保護フィルム３１３は、膜厚が１２μｍ以上２８μｍ以下の２軸延伸ポリプロピレン、２軸延伸ナイロンもしくはポリエチレンテレフタレートであることができる。第１の保護フィルム３０９と第２の保護フィルム３１３と第３の保護フィルム３１１は、積層が入れ替わってもよい。
【００４６】
図３（ａ）に示すように、第１の実施の形態と異なり、保護フィルムの一部３０７が熱融着されずに残る。この保護フィルムの一部３０７からエアロゲル３０３は、真空引きされる。真空引きされた後、この保護フィルムの一部３０７は、熱融着によりふさがれる。
【００４７】
真空引きされた後の包装内の圧力は、大気圧乃至１０ｋＰａである。透明なモノリス状のエアロゲルは、そのままでも断熱性が高いため、本実施形態の断熱材は、通常の真空断熱材よりも真空度が低くても高い断熱性を得ることができる。また、本実施形態の断熱材は、金属膜を用いることにより、密閉後の気密性を高く保つことができる。
【００４８】
本発明は、透明なモノリス状のエアロゲルを断熱材として用いることができる。また、本発明は、エアロゲルの包装内を適度に減圧することによって、断熱性能を向上させることができる。また、アルミ蒸着フィルムまたはアルミ箔を保護フィルムに用いることによって気密を十分に保つことができる。
【００４９】
（本発明の透明な断熱材を冷蔵庫に適用した例）
図４は、本発明の透明な断熱材を用いた冷蔵庫４０１の正面図である。図５は、本発明の透明な断熱材を用いた冷蔵庫４０１の側面図である。図４及び図５を参照して、本発明の透明な断熱材を冷蔵庫４０１に適用した例を説明する。
【００５０】
図４、図５に示すように、冷蔵庫４０１は、冷蔵室４０３と野菜室４０４と冷凍室４０５とを備える。冷蔵室４０３のドア４１３は、把手４０７を備える。図示しないが、冷凍室４０５のドアにも把手が設けられる。冷蔵室４０３は、透明なガラスまたは樹脂からなる外箱４０９と内箱４１１とを備える。冷凍室４０５は、同様に透明な外箱と透明な内箱を備える。
【００５１】
図４に示すように、ドア４１３の中には複数の透明な断熱材４１５が設けられる。透明な断熱材の１つの大きさは、２０ｃｍ四方の正方形であるため、ドア４１３は、透明な断熱材４１５が、冷蔵庫４０１の縦と横に並べて敷き詰められる。ここでは、すべてを図示しているわけではなく、代表の透明な断熱材が描かれる。
【００５２】
本実施の形態の冷蔵庫４０１のドアは、透明なガラスまたは樹脂からなる。したがって、透明なドアと透明な断熱材とにより、庫内の保存物がドアを通して視認できる。図示しないが、冷凍室４０５のドアは、同様に透明なガラスまたは樹脂からなり、同様に透明な断熱材が敷き詰められる。したがって、冷凍室４０５は、庫内の保存物がドアを通して視認できる。
【００５３】
図４と図５に示すように、冷蔵庫４０１の左側面４１７の内箱と外箱の間に、透明な断熱材４１９が備えられる。図５に示すように、左側面４１７は、ドア４１３と同様に透明な断熱材４１９が冷蔵庫４０１の縦と横に複数並べて敷き詰められる。ここでは、左側面について述べたが、右側面も同様に、透明な断熱材が冷蔵庫４０１の縦と横に複数並べて敷き詰められる。
【００５４】
本実施の形態の冷蔵庫４０１は、透明な内箱と透明な外箱との間に透明な断熱材４２３が備えられるため、側面からも庫内の保存物が視認できる。
【００５５】
図５に示すように、冷蔵庫４０１の背面４２１にも透明な断熱材４２３が備えられてもよい。冷蔵庫４０１の背面４２１は、マルチダクトなどの構造物と、透明でないコンデンサ４３７、エバポレータ４４１、及び配管４３９とが設けられる。また、冷蔵庫４０１の背面４２１は、壁に向けて設置されることが多い。そのため、透明にしなくてもよい。
【００５６】
図４及び図５に示すように、天板４２５にも透明な断熱材４２７が設置されてもよい。高さの低い冷蔵庫であれば、上面から庫内の保存物を視認できる。図４及び図５に示すように、底板４２９にも透明な断熱材４３１が、設置されてもよい。
【００５７】
図５に示すように、中仕切り４３３は、透明な部材が用いられる。中仕切りの間にも透明な断熱材４３５が設けられる。また、冷蔵室４０３と野菜室４０４の間は、透明なガラスまたは樹脂で区切られている。したがって、冷蔵室４０３と野菜室４０４と冷凍室４０５とは、お互いの庫内の保存物を視認できる。
【００５８】
本実施の形態の冷蔵庫４０１は、内箱と外箱を備えていたが、内箱が省略されて断熱材が庫内に配置されている形態も取ることができる。また、透明なモノリス状のエアロゲル１０３が、冷蔵庫４０１のドアや外壁と比較して小さい場合に、断熱材を複数並べることを例示したが、モノリス状のエアロゲル１０３が、冷蔵庫４０１のドアや外壁と比較して十分に大きい場合、１つの断熱材として用いることもできる。
【００５９】
このように、本発明は、透明なモノリス状のエアロゲル１０３を断熱材として用いた冷蔵庫４０１を提供できる。特に、本発明は、透明な外箱と、透明な内箱との間に、透明な断熱材を備えることで、外から庫内の保存物を見ることができる透明な冷蔵庫４０１を提供できる。
【００６０】
また、従来の透明な冷蔵庫は、積層ガラスで仕切られていた。そのため重量が重かった。エアロゲル１０３は、非常に軽いため透明な冷蔵庫４０１の重量を軽くできる。
【産業上の利用可能性】
【００６１】
本発明は、断熱材として利用できる。また、透明な断熱材を必要とする窓、冷蔵庫などに利用できる。
【符号の説明】
【００６２】
１０１  断熱材
１０３  エアロゲル
１０５  保護フィルム
１０７  第１の保護フィルム
１０９  第２の保護フィルム
２０１  断熱材
２０３  エアロゲル
２０５  保護フィルム
２０７  保護フィルムの一部
２０９  第１の保護フィルム
２１１  第３の保護フィルム
２１３  第２の保護フィルム
３０１  断熱材
３０３  エアロゲル
３０５  保護フィルム
３０７  保護フィルムの一部
３０９  第１の保護フィルム
３１１  第３の保護フィルム
３１３  第２の保護フィルム
４０１  冷蔵庫
４０３  冷蔵室
４０４  野菜室
４０５  冷凍室
４０７  把手
４０９  外箱
４１１  内箱
４１３  ドア
４１５  断熱材
４１７  左側面
４１９  断熱材
４２１  背面
４２３  断熱材
４２５  天板
４２７  断熱材
４２９  底板
４３１  断熱材
４３３  中仕切り
４３５  断熱材
４３７  コンデンサ
４３９  配管
４４１  エバポレータ
【図１】
2020106091.tif 000003
【図２】
2020106091.tif 000004
【図３】
2020106091.tif 000005
【図４】
2020106091.tif 000006
【図５】
2020106091.tif 000007